(57)【特許請求の範囲】
【請求項１】
第１温度に保たれた第１物品保存領域と第２温度に保たれた第２物品保存領域とが隔壁により互いに仕切られることなく隣接配置された冷蔵室と、
前記冷蔵室内を前記第１物品保存領域と前記第２物品保存領域とに熱的に分割するために、前記第１物品保存領域側に設置される第１エアカーテン装置および前記第２物品保存領域側に設置される第２エアカーテン装置と、を備え、
各々が送風機能を有する前記第１エアカーテン装置または前記第２エアカーテン装置の少なくとも一方は、通気用の貫通孔を有し、前記貫通孔により吹出空気を整流するとともに整流された吹出空気の風向が調整可能に構成される可動整流部材と、前記貫通孔を有する前記可動整流部材を回動させる回動部とを含む、冷蔵倉庫。
【請求項２】
第１温度に保たれた第１物品保存領域と第２温度に保たれた第２物品保存領域とが隔壁により互いに仕切られることなく隣接配置された冷蔵室と、
前記冷蔵室内を前記第１物品保存領域と前記第２物品保存領域とに熱的に分割するために、前記第１物品保存領域側に設置される第１エアカーテン装置および前記第２物品保存領域側に設置される第２エアカーテン装置と、を備え、
各々が送風機能を有する前記第１エアカーテン装置または前記第２エアカーテン装置の少なくとも一方は、吹出空気を整流するとともに整流された吹出空気の風向が調整可能に構成された可動整流部材と、吹出空気が前記可動整流部材以外の部分から漏れ出るのを抑制して前記吹出空気を前記可動整流部材に導くための遮風部材とを含む、冷蔵倉庫。
【請求項３】
第１温度に保たれた第１物品保存領域と第２温度に保たれた第２物品保存領域とが隔壁により互いに仕切られることなく隣接配置された冷蔵室と、
前記冷蔵室内を前記第１物品保存領域と前記第２物品保存領域とに熱的に分割するために、前記第１物品保存領域側に設置される第１エアカーテン装置および前記第２物品保存領域側に設置される第２エアカーテン装置と、を備え、
各々が送風機能を有する前記第１エアカーテン装置または前記第２エアカーテン装置の少なくとも一方は、吹出空気を整流するとともに整流された吹出空気の風向が調整可能に構成された可動整流部材を含み、
前記第１エアカーテン装置および前記第２エアカーテン装置は、前記第１物品保存領域と前記第２物品保存領域との境界に沿って互いに隣接するように配置されており、
前記第１エアカーテン装置および前記第２エアカーテン装置の各々から吹き出されるエアカーテン気流が互いに離間間隔を増加するように、前記整流された吹出空気の風向が前記可動整流部材によって調整されるように構成されている、冷蔵倉庫。
【請求項４】
前記遮風部材は、前記可動整流部材の回動量に応じて伸縮可能に構成された伸縮部材を含み、
前記可動整流部材の回動量に応じて前記伸縮部材が伸縮することにより、前記可動整流部材以外の部分から漏れ出るのを抑制して前記吹出空気を前記可動整流部材に導くための送風路が形成されるように構成されている、請求項２に記載の冷蔵倉庫。
【請求項５】
前記遮風部材は、前記可動整流部材が装着された状態で回動可能に構成されたドラム状のダクト部材を含み、
前記可動整流部材の回動とともに前記ダクト部材が回動されることにより、前記可動整流部材以外の部分から漏れ出るのを抑制して前記吹出空気を前記可動整流部材に導くための送風路が形成されるように構成されている、請求項２に記載の冷蔵倉庫。
【請求項６】
前記可動整流部材は、前記第１エアカーテン装置および前記第２エアカーテン装置の両方に設けられており、
前記可動整流部材により前記整流された吹出空気の風向が前記第１エアカーテン装置と前記第２エアカーテン装置とで個別に調整されることにより、前記第１物品保存領域を前記第１温度でかつ前記第２物品保存領域を前記第２温度に維持可能なように調整されるように構成されている、請求項１〜５のいずれか１項に記載の冷蔵倉庫。
【発明の詳細な説明】
【技術分野】
【０００１】
この発明は、冷蔵倉庫に関し、特に、エアカーテン装置により冷蔵室内が隔壁を用いずに複数の物品保存領域に熱的に分割されるように構成された冷蔵倉庫に関する。
【背景技術】
【０００２】
従来、エアカーテン装置により室内空間に気流が形成されるような構成が知られている（たとえば、特許文献１参照）。
【０００３】
上記特許文献１には、クリーンルームに適用される気流生成装置が開示されている。この特許文献１に記載の気流生成装置は、送風機と、送風機の下流側に配置された気流整流装置とを備えている。また、気流整流装置は、クリーンルームの天井部に固定的に設置されている。そして、送風機から吹き出された空気が気流整流装置を介して整流性（風速の均一性および直進性）が向上された状態で下方のクリーンルーム内に吹き下ろされるように構成されている。
【先行技術文献】
【特許文献】
【０００４】
【特許文献１】特開２０１１−１０６７５７号公報
【発明の概要】
【発明が解決しようとする課題】
【０００５】
しかしながら、上記特許文献１に記載された気流生成装置では、気流整流装置が送風機の下流側に固定的に設置されているため、気流整流装置から吹き出される気流の整流性（風速の均一性および直進性）が向上される一方、下向きの気流を所望の方向に向けることができないと考えられる。このため、隔壁を用いずに複数の物品保存領域を熱的に分割するような冷蔵室内にこの気流生成装置を設置した場合、各物品保存領域の温度を個別に維持するための最適な循環流を作り出すことが困難であるという問題点がある。
【０００６】
この発明は、上記のような課題を解決するためになされたものであり、この発明の１つの目的は、隔壁を用いずに互いに熱的に分割される複数の物品保存領域の温度を個別に維持するための最適な循環流を形成することが可能な冷蔵倉庫を提供することである。
【課題を解決するための手段】
【０００７】
上記目的を達成するために、この発明の第１の局面による冷蔵倉庫は、第１温度に保たれた第１物品保存領域と第２温度に保たれた第２物品保存領域とが隔壁により互いに仕切られることなく隣接配置された冷蔵室と、冷蔵室内を第１物品保存領域と第２物品保存領域とに熱的に分割するために、第１物品保存領域側に設置される第１エアカーテン装置および第２物品保存領域側に設置される第２エアカーテン装置と、を備え、各々が送風機能を有する第１エアカーテン装置または第２エアカーテン装置の少なくとも一方は、通気用の貫通孔を有し、貫通孔により吹出空気を整流するとともに整流された吹出空気の風向が調整可能に構成される可動整流部材と、貫通孔を有する可動整流部材を回動させる回動部とを含む。
【０００８】
この発明の第１の局面による冷蔵倉庫では、上記のように、第１エアカーテン装置または第２エアカーテン装置の少なくとも一方に、吹出空気を整流するとともに整流された吹出空気の風向が調整可能に構成された可動整流部材を設けるように構成する。これにより、第１エアカーテン装置または第２エアカーテン装置の少なくとも一方からの吹出空気は、可動整流部材により気流の整流性（風速の均一性および直進性）が向上された状態で所望の方向に向けて吹き出される。したがって、冷蔵室内に第１エアカーテン装置および第２エアカーテン装置を設置して第１物品保存領域および第２物品保存領域を隔壁を用いずに互いに熱的に分割する場合においても、エアカーテン気流を所望の方向に向けることができる分、各々の物品保存領域の温度を個別に維持するための最適な循環流を形成することができる。
【０００９】
この発明の第２の局面による冷蔵倉庫は、第１温度に保たれた第１物品保存領域と第２温度に保たれた第２物品保存領域とが隔壁により互いに仕切られることなく隣接配置された冷蔵室と、冷蔵室内を第１物品保存領域と第２物品保存領域とに熱的に分割するために、第１物品保存領域側に設置される第１エアカーテン装置および第２物品保存領域側に設置される第２エアカーテン装置と、を備え、各々が送風機能を有する第１エアカーテン装置または第２エアカーテン装置の少なくとも一方は、吹出空気を整流するとともに整流された吹出空気の風向が調整可能に構成された可動整流部材と、吹出空気が可動整流部材以外の部分から漏れ出るのを抑制して吹出空気を可動整流部材に導くための遮風部材とを含む。
この発明の第２の局面による冷蔵庫では、上記のように構成することにより、吹出空気の風向を調整可能な可動整流部材を設けたとしても、吹出空気の風向調整時に遮風部材によって可動整流部材以外の部分から吹出空気が漏れ出るのを抑制することができる。これにより、可動整流部材周辺でのエアカーテン気流の乱れが抑制されるとともに、可動整流部材から吹き出されるエアカーテン気流に風量不足が生じるのを抑制することができる。その結果、最適な循環流を形成しながら、第１物品保存領域および第２物品保存領域を熱的に分割するエアカーテン気流の断熱機能および断熱効果を確実に得ることができる。
【００１０】
この発明の第３の局面による冷蔵倉庫は、第１温度に保たれた第１物品保存領域と第２温度に保たれた第２物品保存領域とが隔壁により互いに仕切られることなく隣接配置された冷蔵室と、冷蔵室内を第１物品保存領域と第２物品保存領域とに熱的に分割するために、第１物品保存領域側に設置される第１エアカーテン装置および第２物品保存領域側に設置される第２エアカーテン装置と、を備え、各々が送風機能を有する第１エアカーテン装置または第２エアカーテン装置の少なくとも一方は、吹出空気を整流するとともに整流された吹出空気の風向が調整可能に構成された可動整流部材を含み、第１エアカーテン装置および第２エアカーテン装置は、第１物品保存領域と第２物品保存領域との境界に沿って互いに隣接するように配置されており、第１エアカーテン装置および第２エアカーテン装置の各々から吹き出されるエアカーテン気流が互いに離間間隔を増加するように、整流された吹出空気の風向が可動整流部材によって調整されるように構成されている。
この発明の第３の局面による冷蔵庫では、上記のように構成することにより、第１エアカーテン装置および第２エアカーテン装置の各々から吹き出されるエアカーテン気流が互いに衝突するのが防止されるので、第１物品保存領域を第１温度に保つための循環流および第２物品保存領域を第２温度に保つための循環流をそれぞれ確実に形成することができる。
【００１１】
上記第２の局面による冷蔵倉庫において、好ましくは、遮風部材は、可動整流部材の回動量に応じて伸縮可能に構成された伸縮部材を含み、可動整流部材の回動量に応じて伸縮部材が伸縮することにより、可動整流部材以外の部分から漏れ出るのを抑制して吹出空気を可動整流部材に導くための送風路が形成されるように構成されている。このように構成すれば、遮風部材としての伸縮部材の伸縮変形を利用して、可動整流部材の回動時に吹出空気を可動整流部材に導く送風路を容易に形成することができる。
【００１２】
上記第２の局面による冷蔵倉庫において、好ましくは、遮風部材は、可動整流部材が装着された状態で回動可能に構成されたドラム状のダクト部材を含み、可動整流部材の回動とともにダクト部材が回動されることにより、可動整流部材以外の部分から漏れ出るのを抑制して吹出空気を可動整流部材に導くための送風路が形成されるように構成されている。このように構成すれば、遮風部材としてのドラム状のダクト部材の回動を利用して、可動整流部材の回動時に吹出空気を可動整流部材に導く送風路を容易に形成することができる。
【００１３】
上記第１、第２または第３の局面による冷蔵倉庫において、好ましくは、可動整流部材は、第１エアカーテン装置および第２エアカーテン装置の両方に設けられており、可動整流部材により整流された吹出空気の風向が第１エアカーテン装置と第２エアカーテン装置とで個別に調整されることにより、第１物品保存領域を第１温度でかつ第２物品保存領域を第２温度に維持可能なように調整されるように構成されている。このように構成すれば、第１温度と第２温度とがどのように設定される場合でも、可動整流部材により整流された吹出空気の風向が第１エアカーテン装置と第２エアカーテン装置とで個別に調整されるので、第１温度と第２温度との温度差に起因して第１物品保存領域と第２物品保存領域との境界近傍においてエアカーテン気流の形状が歪む（湾曲する）のを抑制することができる。したがって、第１物品保存領域と第２物品保存領域との境界近傍においても、第１物品保存領域側の第１温度と第２物品保存領域側の第２温度とをそれぞれ容易に維持することができる。
【発明の効果】
【００１４】
本発明によれば、上記のように、隔壁を用いずに互いに熱的に分割される複数の物品保存領域の温度を個別に維持するための最適な循環流を形成することが可能な冷蔵倉庫を提供することができる。
【図面の簡単な説明】
【００１５】
【図１】本発明の第１実施形態による冷蔵倉庫の構成を示した断面図である。
【図２】本発明の第１実施形態における冷蔵倉庫の構成を示した制御ブロック図である。
【図３】本発明の第１実施形態におけるエアカーテン装置の構成を示した断面図である。
【図４】本発明の第１実施形態におけるエアカーテン装置の構成を示した断面図である。
【図５】本発明の第１実施形態による冷蔵倉庫における架台周辺の構造を示した断面図である。
【図６】本発明の第１実施形態における冷蔵倉庫の全体構成を示した平面図である。
【図７】本発明の第２実施形態におけるエアカーテン装置の構成を示した断面図である。
【図８】本発明の第２実施形態におけるエアカーテン装置の構成を示した断面図である。
【図９】本発明の第３実施形態におけるエアカーテン装置の構成を示した断面図である。
【図１０】本発明の第３実施形態におけるエアカーテン装置の構成を示した断面図である。
【図１１】本発明の変形例における冷蔵倉庫の構成を示した断面図である。
【発明を実施するための形態】
【００１６】
以下、本発明を具体化した実施形態を図面に基づいて説明する。
【００１７】
［第１実施形態］
（冷蔵倉庫の構造）
図１〜図６を参照して、本発明の第１実施形態による冷蔵倉庫１００について説明する。
【００１８】
冷蔵倉庫１００は、図１に示すように、内部空間１０ａを有する冷蔵室１０を備えている。また、内部空間１０ａには、物品１を温度Ｔ１で冷凍保存する領域１１と、物品２を物品１とは異なる温度Ｔ２（この場合、Ｔ２＞Ｔ１）で冷蔵保存する領域１２とが設けられている。なお、温度Ｔ１およびＴ２は、それぞれ、本発明の「第１温度」および「第２温度」の一例である。また、領域１１および１２は、それぞれ、本発明の「第１物品保存領域」および「第２物品保存領域」の一例である。
【００１９】
内部空間１０ａには、Ｘ１側の領域１１とＸ２側の領域１２とを物理的に区画する隔壁は設けられていない。この場合、冷蔵室１０内は、領域１１を温度Ｔ１でかつ領域１２を温度Ｔ２に維持すべく冷気が循環されるように構成されている。これにより、領域１１と領域１２とは隔壁を用いずに温度Ｔ１およびＴ２とに熱的に分割されている。したがって、作業者（図示せず）は、領域１１と領域１２との間を往来（素通り）して物品１または２に関する作業が行えるように構成されている。
【００２０】
冷蔵室１０内には、各々が送風機能を有するエアカーテン装置２０および４０が天井部１３の下方に設置されている。エアカーテン装置２０および４０は、領域１１と領域１２との境界領域１０ｂ（二点鎖線内の領域）に沿って互いに隣接するように配置されている。また、エアカーテン装置２０および４０は実質的に同一の装置構成を有しており、エアカーテン装置４０は、エアカーテン装置２０に対して反対に向けられて設置されている。そして、エアカーテン装置２０および４０は、各々が床面１４近傍まで到達する気流Ｐ１およびＰ２をそれぞれ形成する役割を有している。これにより、境界領域１０ｂにおいて気流Ｐ１およびＰ２が共に床面１４近傍にまで達するので、領域１１と領域１２との間の概略Ｘ方向に沿った熱移動が遮断されている。なお、気流Ｐ１およびＰ２は、本発明の「エアカーテン気流」の一例である。
【００２１】
また、天井部１３の下面１３ａには、Ｘ方向に延びるレール部材９１が取り付けられており、後述する架台９２がレール部材９１に沿って移動可能とされている。そして、エアカーテン装置２０および４０は、架台９２の下面９２ｂにおけるＸ１側およびＸ２側に各々設置されている。冷蔵室１０では、季節変化とともに物品１および２の内容や個数に変動が生じた場合にも、架台９２をＸ方向に移動させて領域１１および１２の容積割合（境界領域１０ｂの位置）が変更可能に構成されている。
【００２２】
また、領域１１および１２には、各々が送風および冷却機能を有する冷却装置３０および５０がそれぞれ設置されている。冷却装置３０は、エアカーテン装置２０の吸込口２１よりも循環流Ｇ１の上流側（Ｘ１側）に設置されるとともに、冷却装置５０は、エアカーテン装置４０の吸込口４１よりも循環流Ｇ２の上流側（Ｘ２側）に設置されている。
【００２３】
また、図２に示すように、冷蔵倉庫１００は、コントローラ機器７０を有している。コントローラ機器７０は、統括制御部７１と、エアカーテン装置制御部７２と、冷却装置制御部７３とを含む。エアカーテン装置制御部７２は、エアカーテン装置２０および４０の運転制御を担い、冷却装置制御部７３は、冷却装置３０および５０の運転制御を担う。また、領域１１および１２の温度をそれぞれ検出する温度センサ８１および８２と、境界領域１０ｂでの床面１４近傍の温度を検出する温度センサ８３とが、冷蔵室１０内に設けられており、各々は、統括制御部７１に電気的に接続されている。そして、統括制御部７１の指令に基づきエアカーテン装置２０および４０の制御と冷却装置３０および５０の制御とが行われることにより、冷蔵室１０内を熱的に分割する冷気の循環流Ｇ１およびＧ２（図１参照）が領域１１および１２にそれぞれ形成される。
【００２４】
ここで、循環流Ｇ１およびＧ２について説明する。図１に示すように、冷却装置３０の吹出口３２から吹き出された冷気が天井部１３の下面１３ａを矢印Ｘ２方向に伝ってエアカーテン装置２０の吸込口２１に吸い込まれる。冷気はエアカーテン装置２０の吹出口２２から気流Ｐ１となり下方に吹き出される。気流Ｐ１は床面１４に到達した後、そのほとんどが床面１４を矢印Ｘ１方向に沿って流通されてＸ１側の側壁部１５ａ近傍を伝って冷却装置３０の吸込口３１に吸い込まれる。これにより、時計回りに大きく循環する循環流Ｇ１が領域１１に形成される。なお、床面１４に到達した気流Ｐ１の一部は矢印Ｘ２方向にも向きを変えて境界領域１０ｂ内で上昇して再び吹出口２２からの冷気に混合される。したがって、境界領域１０ｂ内には反時計回りの渦流Ｑ１も同時に形成される。また、領域１２における冷気の循環流Ｇ２については循環流Ｇ１と反対まわりとなる。この際、床面１４に到達した気流Ｐ２の一部は境界領域１０ｂ内で上昇して再び吹出口４２からの冷気に混合される。つまり境界領域１０ｂ内には時計回りの渦流Ｑ２も同時に形成される。
【００２５】
ここで、第１実施形態では、エアカーテン装置２０から吹き出される気流Ｐ１の風速および風向と、エアカーテン装置４０から吹き出される気流Ｐ２の風速および風向とが、個別に調整されるように構成されている。より具体的には、エアカーテン装置２０には、吹出口２２の外部（下方）において回動可能な整流機構部２３が設けられている。また、エアカーテン装置４０にも、吹出口４２の外部（下方）において回動可能な整流機構部２３が同様に設けられている。以下に、これら整流機構部２３の構造を説明する。
【００２６】
（整流機構部の構造）
図３に示すように、整流機構部２３は、可動整流部材２４と、可動整流部材２４を固定する固定用部材２５と、可動整流部材２４をＹ軸まわりに矢印Ｒ１方向または矢印Ｒ２方向に回動させる回動部２６と、固定用部材２５の回動部２６とは反対側（Ｘ２側）の端部２５ａと吹出口２２近傍の下面２０ａとを接続する伸縮部材２７とを含んでいる。なお、伸縮部材２７は、本発明の「遮風部材」の一例である。
【００２７】
可動整流部材２４は、正六角柱状の通気用の複数の貫通孔２４ａがほぼ隙間なく隣接配置されたハニカム構造を有する。固定用部材２５は、可動整流部材２４を固定する固定枠にメッシュ状の金網が張られた構造を有する。回動部２６は、回動軸２６ａと固定部２６ｂとを有し、回動部２６では、エアカーテン装置制御部７２（図２参照）の指令に基づき回動軸２６ａがモータ（図示せず）により駆動される。伸縮部材２７は、自身が伸縮可能な蛇腹構造を有する。また、伸縮部材２７は、一方側の端部２７ａが固定用部材２５の端部２５ａに固定されるとともに、他方側の端部２７ｂが下面２０ａに固定されている。
【００２８】
また、可動整流部材２４、固定用部材２５、回動部２６および伸縮部材２７は、図３に示した断面形状（空間Ｓ）を保ったまま、吹出口２２のＹ１側（紙面手前側）の端部からＹ２側（紙面奥側）の端部まで延びている。また、図５に示すように、可動整流部材２４のＹ方向の両端部を覆う側板部材２８が下面２０ａに取り付けられている。側板部材２８は下面２０ａから下方に延びている。また、回動部２６、伸縮部材２７および側板部材２８は、各々が気密性を有する（通気性を有しない）材料からなる。また、回動部２６、伸縮部材２７および側板部材２８の下面２０ａへの取付部分には、エアシール剤（図示せず）が施されている。なお、側板部材２８は、本発明の「遮風部材」の一例である。
【００２９】
これにより、第１実施形態では、エアカーテン装置２０における吹出口２２から吹き出された空気は、整流機構部２３を通過する際に可動整流部材２４によって整流され、かつ、所定の方向に向けられた気流Ｐ１となって吹き出されるように構成されている。なお、空気が整流されるとは、整流機構部２３を通過する通過空気の風速の均一性および直進性が向上されることを意味する。また、所定の方向とは、図１に示すように、垂直方向（Ｚ方向）に対して角度αだけ領域１１側に可動整流部材２４が回動されてこの方向に整流された状態の気流Ｐ１が吹き出される方向（風向）を意味する。
【００３０】
したがって、図３に示すように、可動整流部材２４が回動されない状態（角度α＝０度）では、複数の貫通孔２４ａは真下（矢印Ｚ２方向）に向けられるので気流Ｐ１は真下に吹き出される。一方、図４に示すように、回動軸２６ａが矢印Ｒ２方向に回動されて可動整流部材２４が角度αだけ回動された状態では、複数の貫通孔２４ａは斜め下方向に向けられるので、整流された状態の気流Ｐ１は角度αだけ領域１１側に傾けられて吹き出される。
【００３１】
また、図３に示した可動整流部材２４が回動されない状態では、吹出口２２の下方には、回動部２６と伸縮部材２７と側板部材２８とによって取り囲まれた空間Ｓが形成されるように構成されている。なお、伸縮部材２７が縮んだ状態で整流機構部２３全体がエアカーテン装置２０の下面２０ａに水平に取り付けられるように固定部２６ｂの高さ寸法（Ｚ方向）が予め調整されている。なお、空間Ｓは、本発明の「送風路」の一例である。
【００３２】
そして、第１実施形態では、可動整流部材２４が回動されない状態のみならず、図４に示した可動整流部材２４が角度αだけ回動された状態では、吹出口２２から可動整流部材２４の入口面２４ｂまでの空間Ｓは、矩形形状（図３参照）から回動軸２６ａを中心に扇形状の断面を有するように変形される。この際、図４に示すように、伸縮部材２７は、可動整流部材２４の回動量に応じて伸長（伸縮）される。これにより、吹出口２２からの吹出空気が空間Ｓにおける可動整流部材２４以外の部分から外部に漏れ出るのを抑制して、吹出空気のほぼ全てが固定用部材２５を介して可動整流部材２４に導かれるように構成されている。
【００３３】
なお、図１に示すように、エアカーテン装置４０にも整流機構部２３が同様に設けられている。これにより、エアカーテン装置４０における吹出口４２から吹き出された空気は、整流機構部２３を通過する際に可動整流部材２４によって整流された状態で所定の方向に向けられた気流Ｐ２となって吹き出される。この場合、整流された状態の気流Ｐ２は、垂直方向（Ｚ方向）に対して角度βだけ傾けられた方向に吹き出される。
【００３４】
また、第１実施形態では、各々の可動整流部材２４によって、整流された吹出空気の風向（角度αおよびβ）がエアカーテン装置２０側とエアカーテン装置４０側とで個別に調整されるように構成されている。すなわち、角度αと角度βとは個別に調整される。
【００３５】
具体的には、温度センサ８１および８２による庫内温度の検出値に基づいて統括制御部７１（図２参照）により演算処理が行われるとともに、エアカーテン装置２０および４０の各々の送風量制御と、整流機構部２３および４３の回動角度制御とが行われる。これにより、領域１１を温度Ｔ１でかつ領域１２を温度Ｔ２に維持可能なように調整される。特に、温度Ｔ１およびＴ２の差が大きい場合に、本制御が有効に作用して領域１１および１２の温度維持管理が適切に図られる。
【００３６】
一例として、温度センサ８１により冷却装置３０に吸い込まれる循環流Ｇ１の温度が摂氏０度として検知され、温度センサ８２により冷却装置５０に吸い込まれる循環流Ｇ２の温度が摂氏１０度として検知され、温度センサ８３により境界領域１０ｂにおける床面１４近傍の温度が摂氏２度の状態で検知されたとする。この場合、図１に示すように、相対的に冷たい気流Ｐ１が床面１４に衝突して温度センサ８３に到達する渦流Ｑ１が、相対的に温かい気流Ｐ２が床面１４に衝突して温度センサ８３に到達する渦流Ｑ２よりも多い状態であることが統括制御部７１（図２参照）により判断される。
【００３７】
そして、気流Ｐ１の現在の風速Ｖ１および風向（角度α）、および、気流Ｐ２の現在の風速Ｖ２および風向（角度β）を基準として、風速Ｖ１を低下させ角度αを増加させる（垂直方向から傾斜角度を増加させる）制御を単独で行うか、または、風速Ｖ２を増加させ角度βを減少させる（垂直方向により傾斜角度をより近づける）制御を単独で行うか、または、これらの２つの制御を同時に行うかが統括制御部７１（図２参照）により判断される。
【００３８】
上記の方法で気流Ｐ１および／または気流Ｐ２の風速および風向が調整されることにより、渦流Ｑ１を形成する風量が徐々に減少され、渦流Ｑ２を形成する風量が徐々に増加される。したがって、境界領域１０ｂにおける床面１４近傍の温度は、それまでの摂氏２度から温度Ｔ１（約０度）と温度Ｔ２（約１０度）との中間的な温度に向かって徐々に上昇される。この例のように、気流Ｐ１およびＰ２の形状を左右非対称にすることによって、温度Ｔ１およびＴ２の間に顕著な温度差を生じさせる場合であっても、温度Ｔ１およびＴ２の温度差（約１０度）に起因して領域１１の冷気と領域１２の冷気とが容易に混ざり合いにくくなる。また、可動整流部材２４により整流された気流Ｐ１およびＰ２に風速差および角度差を設けることによっても、気流Ｐ１およびＰ２が互いに吸引し合って合流し境界領域１０ｂ内に１つの下降気流が形成されるのが防止されるように構成されている。
【００３９】
このように、第１実施形態では、可動整流部材２４により整流されエアカーテン装置２０および４０の各々から吹き出される気流Ｐ１およびＰ２が互いにＸ方向における離間間隔Ｍ（図１参照）を増加するように、整流された吹出空気の風向（角度αおよびβ）が可動整流部材２４によって調整されるように構成されている。そして、冷蔵室１０内の設定温度に応じた循環流Ｇ１（渦流Ｑ１）および循環流Ｇ２（渦流Ｑ２）が形成されることによって、領域１１内および領域１２内での温度むらを極力なくすように制御構成されている。これにより、冷蔵倉庫１００としての省エネ化が図られている。
【００４０】
（スライド機構の構造）
また、エアカーテン装置２０および４０は、境界領域１０ｂの幅（Ｘ方向）に相当する離間間隔を有した状態で架台９２の下面９２ｂ側に固定されている。また、架台９２の上面９２ａには滑車部９３が設けられている。そして、滑車部９３における複数の車輪９４がレール部材９１上を回転可能に係合されている。また、レール部材９１の両端部には、滑車部９３の移動を規制するストッパ部９５が固定されている。したがって、レール部材９１に対して架台９２が矢印Ｘ１（Ｘ２）方向にスライド移動されることにより、エアカーテン装置２０および４０が一体となって移動されるように構成されている。
【００４１】
エアカーテン装置２０および４０は、天井部１３から下方に離間した位置を水平移動される。このため、下面１３ａと架台９２の上面９２ａとの隙間を塞ぐシート状のシール部材９６が設けられている。シール部材９６は、天井部１３の下面１３ａに固定される上端９６ａと、架台９２の上面９２ａに固定される下端９６ｂとを有する。また、上端９６ａは、冷蔵室１０の中央位置（Ｘ方向）に対応した天井部１３の下面１３ａに固定されている。そして、架台９２がＸ方向に移動されてもシール部材９６が断面形状をＳ字状に変形させて天井部１３と架台９２との隙間が塞がれる。これにより、領域１１と領域１２との間には、下面１３ａと上面９２ａとの隙間を介した空気流動が生じない。
【００４２】
そして、冷蔵倉庫１００では、架台９２がＸ方向に沿って移動されて領域１１と領域１２との容積割合（境界領域１０ｂの位置）が変更された場合にも、エアカーテン装置２０および４０の領域１１（領域１２）側への移動距離に応じて、整流された気流Ｐ１およびＰ２の風向（角度αおよびβ）および風速が個別に調整されるように構成されている。
【００４３】
具体的には、図５に示すように、架台９２のＸ方向の位置を検出する位置センサ８７が設けられている。そして、位置センサ８７の検出結果に基づいて冷却装置３０とエアカーテン装置２０との距離Ｌ１および冷却装置５０とエアカーテン装置４０との距離Ｌ２（図１参照）が、統括制御部７１（図２参照）により把握されるように構成されている。
【００４４】
たとえば、図１に示すように、架台９２が矢印Ｘ１方向に移動されて領域１１（距離Ｌ１）が相対的に小さく領域１２（距離Ｌ２）が相対的に大きいとする。この場合、一例として、エアカーテン装置２０からの気流Ｐ１の風速Ｖ１が相対的に小さく、かつ、エアカーテン装置４０からの気流Ｐ２の風速Ｖ２が相対的に大きくなるように調整される。さらには、気流Ｐ１の角度αと気流Ｐ２の角度βとが相互に調整されるように構成されている。
【００４５】
（冷蔵室の平面的な構造）
また、冷蔵室１０を平面的に見た場合、図６に示すように、エアカーテン装置２０は、一方側の側壁部１６から他方側の側壁部１７に亘って延びている。また、領域１１の側壁部１５ａ近傍における天井部１３の下面１３ａ下には、２台の冷却装置３０が列状に配置されている。これにより、２台の冷却装置３０の吹出口３２から吹き出された冷気がエアカーテン装置２０の吸込口２１に吸い込まれる。なお、領域１２側に設置されたエアカーテン装置４０および冷却装置５０の台数および配置構成は、領域１１側と左右対称である。
【００４６】
また、側壁部１６には開閉扉１８ａが設けられ側壁部１７には開閉扉１８ｂが設けられている。冷蔵室１０の外側には物品１および２を載置する荷置場１０１が設置されている。荷置場１０１に対してトラック１１０が接車可能に構成されており、物品１および２の荷役作業が荷置場１０１において行われる。冷蔵倉庫１００は、このように構成されている。
【００４７】
（第１実施形態の効果）
第１実施形態では、以下のような効果を得ることができる。
【００４８】
第１実施形態では、上記のように、エアカーテン装置２０および４０の各々に吹出空気を整流するとともに整流された吹出空気の風向が調整可能に構成された可動整流部材２４（整流機構部２３）を設ける。これにより、エアカーテン装置２０および４０からの吹出空気は、可動整流部材２４により気流の整流性（風速の均一性および直進性）が向上された状態で所望の方向に向けて各々吹き出される。したがって、冷蔵室１０内にエアカーテン装置２０および４０を設置して領域１１および１２を隔壁を用いずに互いに熱的に分割する場合においても、気流Ｐ１およびＰ２を所望の方向に向けることができる分、領域１１および１２の温度を個別に維持するための最適な循環流Ｇ１（渦流Ｑ１）および循環流Ｇ２（渦流Ｑ２）を形成することができる。また、冷蔵室１０内の温度維持に最適な循環流Ｇ１（渦流Ｑ１）および循環流Ｇ２（渦流Ｑ２）が形成されることによって、領域１１内での温度むらや領域１２内での温度むらを極力なくすことができ、冷却装置３０および５０に無駄な冷却負荷が発生しない分、冷蔵倉庫１００の省エネ化を図ることができる。
【００４９】
また、第１実施形態では、エアカーテン装置２０（４０）に、吹出空気が可動整流部材２４以外の部分から漏れ出るのを抑制して吹出空気を可動整流部材２４に導くための伸縮部材２７および側板部材２８を設ける。これにより、吹出空気の風向を調整可能な可動整流部材２４を設けたとしても、吹出空気の風向調整時に伸縮部材２７および側板部材２８によって可動整流部材２４以外の部分から吹出空気が漏れ出るのを抑制することができる。これにより、可動整流部材２４周辺での気流Ｐ１（Ｐ２）の乱れが抑制されるとともに、可動整流部材２４から吹き出される気流Ｐ１（Ｐ２）に風量不足が生じるのを抑制することができる。その結果、最適な循環流Ｇ１およびＧ２を形成しながら、領域１１および１２を熱的に分割する気流Ｐ１（渦流Ｑ１）および気流Ｐ２（渦流Ｑ２）の断熱機能および断熱効果を確実に得ることができる。
【００５０】
また、第１実施形態では、エアカーテン装置２０および４０を領域１１および１２の境界領域１０ｂに沿って隣接配置し、エアカーテン装置２０および４０の各々から吹き出される気流Ｐ１およびＰ２が互いにＸ方向の離間間隔Ｍを増加するように、整流後の吹出空気の風向が可動整流部材２４によって調整されるように構成する。これにより、エアカーテン装置２０および４０の各々から吹き出される気流Ｐ１およびＰ２が互いに衝突するのが防止されるので、領域１１を温度Ｔ１に保つ循環流Ｇ１（渦流Ｑ１）および領域１２を温度Ｔ２に保つ循環流Ｇ２（渦流Ｑ２）をそれぞれ確実に形成することができる。
【００５１】
また、第１実施形態では、可動整流部材２４の回動量に応じて蛇腹構造を有する伸縮部材２７が伸縮することにより、可動整流部材２４以外の部分から漏れ出るのを抑制して吹出空気を可動整流部材２４に導く空間Ｓが形成されるように構成する。これにより、遮風部材としての伸縮部材２７の伸縮変形を利用して、可動整流部材２４の回動時に吹出空気を可動整流部材２４に導く空間Ｓを容易に形成することができる。
【００５２】
また、第１実施形態では、可動整流部材２４により整流された吹出空気の風向がエアカーテン装置２０および４０で個別に調整されることにより、領域１１を温度Ｔ１でかつ領域１２を温度Ｔ２に維持するように構成する。これにより、温度Ｔ１と温度Ｔ２とがどのように設定されても、可動整流部材２４による整流後の吹出空気の風向がエアカーテン装置２０および４０で個別に調整されるので、温度Ｔ１と温度Ｔ２との温度差に起因して境界領域１０ｂ近傍において気流Ｐ１（Ｐ２）の形状が湾曲するのを抑制することができる。したがって、領域１１と領域１２との境界領域１０ｂ近傍においても、領域１１側の温度Ｔ１と領域１２側の温度Ｔ２とをそれぞれ容易に維持することができる。
【００５３】
［第２実施形態］
（整流機構部の構造）
図１、図７および図８を参照して、第２実施形態について説明する。この第２実施形態では、上記第１実施形態とは異なる回動機構を有する整流機構部２２３について説明する。なお、図中において、上記第１実施形態と同様の構成の部分には、同じ符号を付す。
【００５４】
第２実施形態による冷蔵倉庫の領域１１（図１参照）側に設置されるエアカーテン装置２２０には、吹出空気を整流する整流機構部２２３（図７参照）が設けられている。
【００５５】
整流機構部２２３は、図７に示すように、可動整流部材２２４と、可動整流部材２２４が装着された状態で回動可能に構成されたドラム状のダクト部材２２７とを含む。また、側板部材２２８がエアカーテン装置２２０の下面２２０ａに取り付けられている。側板部材２２８の下端は、ダクト部材２２７の回動軸２２７ｃよりも下方まで延びている。また、側板部材２２８は、吹出口２２およびダクト部材２２７の外周部を矩形状（周状）に取り囲む側面部２２８ａおよび２２８ｂを有して下面２２０ａに取り付けられている。そして、回動軸２２７ｃは、側板部材２２８のＹ１側（紙面手前側）およびＹ２側（紙面奥側）の側面部２２８ｂに固定されている。なお、ダクト部材２２７および側板部材２２８は、本発明の「遮風部材」の一例である。
【００５６】
また、側板部材２２８の下端領域（Ｚ２側）においては、側面部２２８ａとダクト部材２２７の円弧状の側面部２２７ａとが摺動可能に接触するとともに、側面部２２８ｂとダクト部材２２７の平坦な側面部２２７ｂとが摺動可能に接触している。これにより、吹出口２２の下方には、ダクト部材２２７と側板部材２２８とによって取り囲まれた空間Ｓが形成されるように構成されている。
【００５７】
そして、第２実施形態では、ダクト部材２２７が回動されない状態（図７参照）では、可動整流部材２２４は真下（矢印Ｚ２方向）に向けられる。また、ダクト部材２２７が矢印Ｑ１方向に回動されて可動整流部材２２４が角度αだけ回動された状態（図８参照）では、可動整流部材２２４は斜め下方向に向けられる。この際、側板部材２２８の下端領域においてはダクト部材２２７の回動量に関係なく側板部材２２８とダクト部材２２７とのエアシール性（気密性）が保たれる。これにより、吹出口２２からの吹出空気が可動整流部材２２４以外の部分から外部に漏れ出るのを抑制してほぼ全てが側板部材２２８からダクト部材２２７内を流通して可動整流部材２２４に導かれるように構成されている。
【００５８】
また、第２実施形態では、ダクト部材２２７がドラム状に形成されているので、可動整流部材２２４は、真下方向から左右（矢印Ｒ１方向および矢印Ｒ２方向）に角度αだけ回動されるように構成されている。
【００５９】
なお、上記説明したエアカーテン装置２２０と同様の整流機構部２２３は、領域１２側に設置されるエアカーテン装置（図１におけるエアカーテン装置４０に対応するエアカーテン装置）にも設けられている。なお、第２実施形態による冷蔵倉庫のその他の構成は、上記第１実施形態と同様である。
【００６０】
（第２実施形態の効果）
第２実施形態では、可動整流部材２２４の回動とともにダクト部材２２７が回動されることにより、可動整流部材２２４以外の部分から漏れ出るのを抑制して吹出空気を可動整流部材２４に導くための空間Ｓが形成されるように構成する。これにより、遮風部材としてのドラム状のダクト部材２２７の回動を利用して、吹出空気の風向調整時（可動整流部材２４の回動時）に吹出空気を可動整流部材２２４に導く空間Ｓを容易に形成することができる。なお、第２実施形態のその他の効果は、上記第１実施形態と同様である。
【００６１】
［第３実施形態］
（整流機構部の構造）
図１、図９および図１０を参照して、第３実施形態について説明する。この第３実施形態では、上記第１実施形態とは異なる構成を有する整流機構部３２３について説明する。なお、図中において、上記第１実施形態と同様の構成の部分には、同じ符号を付す。
【００６２】
第３実施形態による冷蔵倉庫の領域１１（図１参照）側に設置される設置されるエアカーテン装置３２０には、吹出空気を整流する整流機構部３２３が設けられている。
【００６３】
整流機構部３２３は、図９に示すように、可動整流部材２４と、可動整流部材２４をＹ軸まわりに回動させる回動軸２６ａを有する回動部３２６と、自身が伸縮可能な構造を有する伸縮部材３２７とを含む。なお、可動整流部材２４のＸ２側の端部２４ｃには、フック部材３２９が掛けられている。そして、伸縮部材３２７は、一方側の端部３２７ａがフック部材３２９に固定されるとともに、他方側の端部３２７ｂが下面３２０ａに固定されている。また、伸縮部材３２７は、複数の板部材３２７ｃが相対的にスライド移動可能に接続（係合）されている。そして、板部材３２７ｃ同士が相互にスライド移動されることにより各々の係合量（オーバラップ量）を変化させた状態でも遮風機能が維持されるように構成されている。また、可動整流部材２４のＹ方向の両端部を覆う側板部材２８が下面３２０ａに取り付けられている。なお、伸縮部材３２７は、本発明の「遮風部材」の一例である。
【００６４】
これにより、第３実施形態では、可動整流部材２４が回動されない状態（図９参照）では、可動整流部材２４は真下（矢印Ｚ２方向）に向けられている。この際、回動部３２６と伸縮部材３２７と側板部材２８とフック部材３２９とによって空間Ｓが形成される。そして、可動整流部材２４が矢印Ｑ１方向に回動されて可動整流部材２４が角度αだけ回動された状態（図１０参照）では、可動整流部材２４は斜め下方向に向けられる。
【００６５】
また、図１０に示すように、可動整流部材２４が角度αだけ回動された状態（図１０参照）では、空間Ｓは、所定の断面形状を有して変形される。この際、伸縮部材３２７は、可動整流部材２４の回動量に応じて板部材３２７ｃ間の全長が伸長（伸縮）される。これにより、吹出口２２からの吹出空気が空間Ｓにおける可動整流部材２４以外の部分から外部に漏れ出るのが抑制されて吹出空気のほぼ全てが可動整流部材２４に導かれる。
【００６６】
なお、上記説明したエアカーテン装置３２０と同様の整流機構部３２３が領域１２側に設置されるエアカーテン装置（図１におけるエアカーテン装置４０）にも設けられている。なお、第３実施形態による冷蔵倉庫のその他の構成は、上記第１実施形態と同様である。
【００６７】
（第３実施形態の効果）
第３実施形態では、上記のように、可動整流部材２４の回動量に応じて伸縮部材３２７が伸縮することにより、可動整流部材２４以外の部分から漏れ出るのを抑制して吹出空気を可動整流部材２４に導くための空間Ｓが形成されるように構成する。これにより、遮風部材としての伸縮部材３２７の伸縮変形を利用して、吹出空気の風向調整時（可動整流部材２４の回動時）に吹出空気を可動整流部材２４に導く空間Ｓを容易に形成することができる。なお、第３実施形態のその他の効果は、上記第１実施形態と同様である。
【００６８】
[変形例]
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【００６９】
たとえば、上記第１〜第３実施形態では、互いに隣接配置される一対のエアカーテン装置の両方に本発明の「可動整流部材」を設けたが、本発明はこれに限られない。たとえば、図１１に示す変形例のように、一方のエアカーテン装置２０にのみ可動整流部材２４（整流機構部２３）を設けるように冷蔵室１０５を構成してもよい。この変形例のように構成しても、気流Ｐ１を気流Ｐ２から離間間隔Ｍを増加させる方向に向けることができる分、領域１１および１２の温度を個別に維持するための最適な循環流Ｇ１（渦流Ｑ１）および循環流Ｇ２（渦流Ｑ２）を形成することができる。
【００７０】
また、上記第１〜第３実施形態では、互いに隣接配置された２つの領域１１および１２を熱的に分割するために一対のエアカーテン装置２０および４０を対向配置して冷蔵室１０を構成したが、本発明はこれに限られない。３つ以上の物品保存領域が互いに仕切られずに隣接配置された冷蔵室においても、物品保存領域間の境界領域に隣接配置される一対のエアカーテン装置の少なくとも一方に本発明の「可動整流部材」が設けていればよい。
【００７１】
また、上記第１〜第３実施形態では、ハニカム構造を有する可動整流部材２４を用いたが、本発明はこれに限られない。すなわち、吹出空気を整流可能であるならばハニカム構造以外の構造を有する可動整流部材を用いて整流機構部２３を構成してもよい。
【００７２】
また、上記第１〜第３実施形態では、冷蔵室１０の床面１４近傍に温度センサ８３を設けて気流Ｐ１およびＰ２の風速および風向を調整したが本発明はこれに限られない。温度センサ８３を設けずに気流Ｐ１およびＰ２の風速および風向を調整するようにしてもよい。
【００７３】
また、上記第１〜第３実施形態では、送風機能（エアカーテン形成機能）のみをエアカーテン装置２０および４０に持たせたが、本発明はこれに限られない。冷却装置３０および５０に加えて、エアカーテン装置２０および４０にも冷却機能を発揮させて、温度Ｔ１に保たれる領域１１と温度Ｔ２に保たれる領域１２とを熱的に分割するための循環流Ｇ１およびＧ２（渦流Ｑ１およびＱ２）を形成してもよい。
【００７４】
また、上記第１〜第３実施形態では、エアカーテン装置２０および４０を共に架台９２の下面９２ｂ側に取り付けて一体的に移動させたが、本発明はこれに限られない。すなわち、エアカーテン装置２０とエアカーテン装置４０とを個別に移動させるように構成して領域１１と領域１２とを熱的に分割するための循環流Ｇ１およびＧ２（渦流Ｑ１およびＱ２）を形成してもよい。
【００７５】
また、上記第１〜第３実施形態では、エアカーテン装置２０および４０が固定された架台９２に車輪９４を有する滑車部９３を取り付けてエアカーテン装置２０および４０を矢印Ｘ１方向または矢印Ｘ２方向に移動させたが、本発明はこれに限られない。滑車部９３を設けずにレール部材９１に対して架台９２を摺動させて移動するように構成してもよい。
【００７６】
また、上記第１〜第３実施形態では、冷蔵室１０における内部空間１０ａを構成する一方側の側壁部１６から他方側の側壁部１７に亘ってＹ方向に直線的に延びるエアカーテン装置２０および４０を設置して領域１１および１２を熱的に２分割したが、本発明はこれに限られない。たとえば、冷蔵室１０を平面的に見た場合に、領域１１と領域１２とがＬ字型やＳ字型の境界領域１０ｂを介して互いに熱的に分割されるように個々のエアカーテン装置を鍵状またはＳ字状に配置してもよい。
【符号の説明】
【００７７】
１０、１０５  冷蔵室
１１  領域（第１物品保存領域）
１２  領域（第２物品保存領域）
２０、２２０、３２０  エアカーテン装置（第１エアカーテン装置）
２３、２２３、３２３  整流機構部
２４、２２４  可動整流部材
２６、３２６  回動部
２７、３２７  伸縮部材（遮風部材）
２８、２２８  側板部材（遮風部材）
４０  エアカーテン装置（第２エアカーテン装置）
１００  冷蔵倉庫
２２７  ダクト部材（遮風部材）
３２９  フック部材
Ｍ  離間間隔
Ｓ  空間（送風路）
【図１】
0006464772.tif 000002
【図２】
0006464772.tif 000003
【図３】
0006464772.tif 000004
【図４】
0006464772.tif 000005
【図５】
0006464772.tif 000006
【図６】
0006464772.tif 000007
【図７】
0006464772.tif 000008
【図８】
0006464772.tif 000009
【図９】
0006464772.tif 000010
【図１０】
0006464772.tif 000011
【図１１】
0006464772.tif 000012